(57)【要約】【課題】  搬送中の折帳を経路外へ排出できるようにして紙詰まりの発生を抑制できる輪転印刷機を提供する。【解決手段】  折部１３に配置され、連続して搬送される折帳６７を２つの方向へ所定部数毎に交互に振り分ける振分装置４９と、振分装置４９で振り分けられた一方の折帳６７を下側羽根車５１へ搬送する下側搬送経路部６９と、振分装置４９で振り分けられた他方の折帳６７を上側羽根車５３へ搬送する上側搬送経路部７１と、を備えている輪転印刷機１であって、振分装置４９における折帳６７の振分を下側搬送経路部６９側に固定する振分方向固定装置１８１と、下側搬送経路部６９の中途に備えられ、折帳６７の搬送方向を選択的に経路外に向ける分岐部１５１と、が備えられていることを特徴とする。【選択図】      図３
2009126616.tif 000002
【特許請求の範囲】
【請求項１】
折部に配置され、連続して搬送される折帳を２つの方向へ所定部数毎に交互に振り分ける振分装置と、
該振分装置で振り分けられた一方の前記折帳を第一羽根車へ搬送する第一搬送経路部と、
該振分装置で振り分けられた他方の前記折帳を第二羽根車へ搬送する第二搬送経路部と、を備えている輪転印刷機であって、
前記振分装置における前記折帳の振分を前記第一搬送経路部側に固定する振分方向固定装置と、
前記第一搬送経路部の中途に備えられ、前記折帳の搬送方向を選択的に経路外に向ける分岐部と、が備えられていることを特徴とする輪転印刷機。
【請求項２】
前記第一搬送経路部は、前記折帳の両面を挟持する第一搬送ベルトで構成され、
前記第二搬送経路部は、前記折帳の両面を挟持する第二搬送ベルトで構成され、
前記振分装置は、前記第一搬送経路部および前記第二搬送経路部の分離位置の下流側に、それぞれ前記第一搬送経路部あるいは前記第二搬送経路部に対向する一対の案内面を有する案内部材を備え、該案内部材の少なくとも上流側部分を前記第一搬送経路部側あるいは前記第二搬送経路部側に移動することによって前記折帳を振り分けていることを特徴とする請求項１に記載の輪転印刷機。
【請求項３】
前記振分装置は、印刷速度と同期して回転するカムの動作によって前記折帳の振分を行ない、前記振分方向固定装置は、該カムの動作と独立して前記案内部材の振分方向を設定できるようにされていることを特徴とする請求項１または請求項２に記載された輪転印刷機。
【請求項４】
前記分岐部は、前記第一搬送経路部の少なくとも下流端部分が、前記折帳の面に交差する交差方向へ上流端部分を中心として揺動可能に構成されてなることを特徴とする請求項１から請求項３のいずれかに記載された輪転印刷機。
【請求項５】
前記所定部数の前記折帳の端部が前記案内部材に至るタイミングを検出するタイミング検出装置を備えていることを特徴とする請求項１から請求項４のいずれかに記載された輪転印刷機。
【請求項６】
前記タイミング検出装置は、前記カムの切換え位置を検知するものであることを特徴とする請求項５に記載された輪転印刷機。
【発明の詳細な説明】
【技術分野】
【０００１】
本発明は、輪転印刷機に関するものである。
【背景技術】
【０００２】
輪転印刷機の折部では、印刷されたウェブが三角板によって縦に２つ折りされ、所定長さに断裁されて折帳とされる。この折帳は平行折り（幅方向を折目としたもの）されたり、直角折り（搬送（天地）方向を折目としたもの）されたりして所定の構成に形成される。この折帳が羽根車で減速および搬送方向を調整され機外に搬出される。
印刷作業の開始時あるいは停止時のようにウェブの搬送速度が遅い場合には、ウェブの張力が不安定となるので、幅方向に蛇行（紙流れ）したり、搬送速度がばらついたりしていた。このため、折帳は三角板での折位置がずれて縦折りされた紙幅が不揃いとなったり、変形したり、皺が生じたりして折不良の製品、いわゆる、ヤレを生じていた。
【０００３】
この折不良の折帳は、羽根車等の下流部分で詰まることがある。このように紙詰まりが発生すると、一旦輪転印刷機の印刷作業を停止し、紙詰まりを取り除いて後、印刷作業を再開していたので、印刷の作業効率が低下させられている。
特に、特許文献１に示されるように、２個の羽根車を装備し、連続して搬送される折帳を所定部数毎に交互に振り分け各羽根車で分割処理するものでは、折帳を搬送ベルトで挟持して搬送するので、折不良の折帳は搬送タイミングがずれ易く、紙詰まりが発生し易い傾向がある。
【０００４】
すなわち、折不良の折帳では折帳に対し幅方向に不均一な力が作用するので、傾斜し易い。また、折帳の一端部が経路から大きくはみ出ている場合には、周辺の部材に当接したり、そちら側の空気抵抗が増加したりして搬送姿勢あるいは搬送速度が変化することもある。
このように、折帳の搬送速度あるいは搬送姿勢が変化すると、羽根車に入るタイミングがずれるので、折帳が羽根車のところで詰まる恐れがある。
印刷の作業効率を維持するため、印刷作業の開始時あるいは停止時には、作業員が折帳の搬送状態を監視し、詰まる恐れのある折帳を搬送経路から取り除いていた。
【０００５】
【特許文献１】特開平７−１２５９００号公報
【発明の開示】
【発明が解決しようとする課題】
【０００６】
ところで、特許文献１に示されるものでは、印刷作業の開始時あるいは停止時に詰まる恐れのある折帳の有無を監視するために、作業員を配置する必要があるので、その分コストが掛かることになる。
また、作業員が詰まる恐れのある折帳を搬送経路から手で取り除くので、怪我をする危険性がある。
たとえば、作業員を配置しないようにすると、羽根車のところで紙詰まりが発生する恐れがあるので、それが発生した場合における復旧作業のため作業効率が低下する。
【０００７】
本発明は、上記問題点に鑑み、搬送中の折帳を経路外へ排出できるようにして紙詰まりの発生を抑制できる輪転印刷機を提供することを目的とする。
【課題を解決するための手段】
【０００８】
上記課題を解決するために、本発明は以下の手段を採用する。
すなわち、本発明にかかる輪転印刷機は、折部に配置され、連続して搬送される折帳を２つの方向へ所定部数毎に交互に振り分ける振分装置と、該振分装置で振り分けられた一方の前記折帳を第一羽根車へ搬送する第一搬送経路部と、該振分装置で振り分けられた他方の前記折帳を第二羽根車へ搬送する第二搬送経路部と、を備えている輪転印刷機であって、前記振分装置における前記折帳の振分を前記第一搬送経路部側に固定する振分方向固定装置と、前記第一搬送経路部の中途に備えられ、前記折帳の搬送方向を選択的に経路外に向ける分岐部と、が備えられていることを特徴とする。
【０００９】
本発明によれば、印刷されたウェブから加工され、連続して搬送される折帳は、振分装置によって所定部数毎に、第一搬送経路部あるいは第二搬送経路部に振り分けられ、第一羽根車あるいは第二羽根車に搬送される。
たとえば、印刷作業の開始時あるいは停止時のように印刷速度が遅く、ウェブのテンションが不安定な時期には、振分方向固定装置が振分装置における折帳の振分を第一搬送経路部側に固定するとともに第一搬送経路部中の分岐部を折帳の搬送方向が経路外に向かうように位置される。
【００１０】
これにより、全ての折帳は第一搬送経路部に送られ、分岐部を通って経路外に排出されるので、その中に含まれる詰まる恐れのある折帳は経路外へ排出されることになる。詰まる恐れのある折帳が経路外へ排出されるので、第一羽根車あるいは第二羽根車に折帳が詰まることを抑制することができる。
この場合、印刷速度がある程度高速となり、ウェブのテンションが安定すると、折不良の折帳が無くなるので、振分方向固定装置による振分方向の固定を止めるとともに分岐部を第一羽根車へ向くようにする。これにより、連続して搬送される折帳は、振分装置によって所定部数毎に、第一搬送経路部あるいは第二搬送経路部に振り分けられ、第一羽根車あるいは第二羽根車に搬送され、通常に処理される。
【００１１】
なお、この時点で断裁見当調整が完了していないと、切断位置が絵柄と一致しない（製品とならない）折帳が第一羽根車あるいは第二羽根車に送られることになるが、これらの折帳は第一羽根車あるいは第二羽根車に詰まる恐れはないので、第一羽根車あるいは第二羽根車の下流側で排出する。この場合、振分方向固定装置および分岐部の復帰を止め、引き続き同じ位置に切断位置が絵柄と一致しない折帳を排出するようにしてもよい。
このように、第一羽根車あるいは第二羽根車に折帳が詰まるのを防止するために作業員を配置することが不要となるので、その分運転コストが低減できる。また、移動中の折帳を手で取り除くことがないので、作業員が怪我をする可能性を防止することができる。
【００１２】
また、上記発明では、前記第一搬送経路部は、前記折帳の両面を挟持する第一搬送ベルトで構成され、前記第二搬送経路部は、前記折帳の両面を挟持する第二搬送ベルトで構成され、前記振分装置は、前記第一搬送経路部および前記第二搬送経路部の分離位置の下流側に、それぞれ前記第一搬送経路部あるいは前記第二搬送経路部に対向する一対の案内面を有する案内部材を備え、該案内部材の少なくとも上流側部分を前記第一搬送経路部側あるいは前記第二搬送経路部側に移動することによって前記折帳を振り分けていることを特徴とする。
【００１３】
本発明によれば、案内部材の少なくとも上流側部分が第一搬送経路部側に移動されると折帳は案内部材の第二搬送経路部に面した案内面によって第二搬送ベルト側へ案内され、第二搬送ベルトによって挟持され、第二羽根車へ搬送される。一方、案内部材の少なくとも上流側部分が第二搬送経路部側に移動されると折帳は案内部材の第一搬送経路部に面した案内面によって第一搬送ベルト側へ案内され、第一搬送ベルトによって挟持され第一羽根車へ搬送される。
したがって、所定部数の折帳毎に案内部材の少なくとも上流側部分を第一搬送経路部側あるいは第二搬送経路部側に移動させることによって折帳を振り分けることができる。
【００１４】
また、本発明にかかる輪転印刷機では、前記振分装置は、印刷速度と同期して回転するカムの動作によって前記折帳の振分を行ない、前記振分方向固定装置は、該カムの動作と独立して前記案内部材の振分方向を設定できるようにされていることを特徴とする。
【００１５】
このように、振分装置は、印刷速度と同期して回転するカムの動作によって折帳の振分を行なうので、印刷速度が遅くなると振分タイミングも遅くなるし、反対に印刷速度が速くなると振分タイミングも速くなる。したがって、印刷速度が変化しても自動的に振分タイミングが追従するので、調整しなくても折帳を所定部数毎に振り分けることができる。
また、振分方向固定装置は、カムの動作と独立して案内部材の振分方向を設定できるようにされているので、案内部材にカムの動作が伝達されない、たとえば、カムの動作を伝達するカムフォロアがカムに接触しない状態とし、案内部材の振分方向を第一搬送経路部側に設定することによって折帳を排出する振分方向に固定することができる。
この場合、カムの切換え位置は、所定部数毎の折帳の境目となるので、この位置で振分方向固定装置による振分方向の固定を解除し、カムによる振分を行うようにすると、折帳を所定部数毎に確実に振り分けることができる。
【００１６】
また、本発明にかかる輪転印刷機では、前記分岐部は、前記第一搬送経路部の少なくとも下流端部分が、前記折帳の面に交差する交差方向へ上流端部分を中心として揺動可能に構成されてなることを特徴とする。
【００１７】
このように、分岐部は、第一搬送経路部の少なくとも下流端部分が、折帳の面に交差する交差方向へ上流端部分を中心として揺動可能に構成されてなるので、この分岐部、すなわち、第一搬送経路部の少なくとも下流端部分を上流端部分の回りに揺動させると、第一搬送経路部の下流端、すなわち、折帳の出口の位置が第一羽根車へ向く位置と、第一羽根車へ向かない位置とに切り換えることができる。
振分方向固定装置が折帳の振分方向を第一搬送経路部側に固定すると、分岐部を揺動し、その下流端位置を第一羽根車へ向かない位置へ切り換える。これにより、第一搬送経路部を通過する折帳を第一羽根車とは別の経路外へ排出するようにすることができる。
なお、分岐部は、第一搬送経路部の下流端部分に設けられるのが好適である。このようにすると、振分装置から分岐部までの距離が長く確保できるので、分岐部を移動させる時間を稼ぐことができ、折帳の搬送速度の高速化に対応することができる。
【００１８】
また、本発明にかかる輪転印刷機では、前記所定部数の前記折帳の端部が前記案内部材に至るタイミングを検出するタイミング検出装置を備えていることを特徴とする。
【００１９】
タイミング検出装置が検出する所定部数の折帳の端部が案内部材に至るタイミングで振分方向固定装置による振分方向の固定を解除すると、所定部数の折帳の端部で振分装置の振分が復旧するので、折帳を所定部数毎に確実に振り分けることができる。
【００２０】
また、上記発明では、前記タイミング検出装置は、前記カムの切換え位置を検知するものであることが望ましい。
カムの切換え位置は、所定部数毎の折帳の境目となるので、この位置を検知すると、折帳の所定部数毎の境目を確実に検出できる。
【発明の効果】
【００２１】
本発明によれば、振分装置における折帳の振分を第一搬送経路部側に固定する振分方向固定装置と、第一搬送経路部の中途に備えられ、折帳の搬送方向を選択的に経路外に向ける分岐部と、が備えられているので、たとえば、印刷作業の開始時あるいは停止時のように印刷速度が遅く、ウェブのテンションが不安定な時期には、振分方向固定装置が振分装置における折帳の振分を第一搬送経路部側に固定するとともに第一搬送経路部中の分岐部を折帳の搬送方向が経路外に向かうように位置させることにより、詰まる恐れのある折帳が経路外へ排出され、第一羽根車あるいは第二羽根車に折帳が詰まることを抑制することができる。
【発明を実施するための最良の形態】
【００２２】
以下、本発明の一実施形態について、図１〜図８を用いて説明する。
本実施形態にかかる輪転印刷機１は、本（たとえば、コミック本）を印刷し、折帳を形成し、それを下流側の製本工程へ搬送するものである。
図１は、輪転印刷機１の全体概略構成を示す正面図である。
輪転印刷機１には、ウェブ１５の搬送方向Ｈに沿って、給紙装置３と、インフィード装置５と、印刷ユニット７と、乾燥装置９と、冷却装置１１と、折部１３と、が備えられている。
【００２３】
給紙装置３はウェブ１５を供給するものであり、ウェブ１５がロール状に巻かれた紙ロール１７が２個保持できるように構成されている。
一方の紙ロール１７から給紙されている場合に、他方の紙ロール１７が装着され、紙継ぎ準備がなされる。一方の紙ロール１７のウェブ１５が残り少なくなると、他方の紙ロール１７のウェブ１５に紙継ぎされる。そして、他方の紙ロール１７からウェブ１５が供給されている間に一方の紙ロール１７が装着され紙継ぎ準備がなされる。
このようにして、ウェブ１５は給紙装置３から搬送方向の下流側へ向けて連続的に繰り出されることになる。
【００２４】
インフィード装置５は、給紙装置３からのウェブ１５の張力を調整して印刷ユニット７へ供給する機能を有する。
印刷ユニット７には、版胴１９とブランケット胴２１との組が２組設けられている。それぞれの組のブランケット胴２１はウェブ１５を挟んで対向して配置されており、相互に印圧を付与し合う機能を有している。
それぞれの版胴１９の周面には、図示を省略した湿し装置およびインキ装置が設けられている。湿し装置は、版胴１９の周囲に取り付けられた刷版に湿し水を供給し、インキ装置は刷版にインキを供給するものである。
【００２５】
図示しない刷版は、印刷部分がコミック本の９６頁分（搬送方向Ｈに１２頁、幅方向に８頁）を印刷できる大きさ、たとえば、搬送（天地）方向Ｈにおける長さが略２２４４ｍｍ、幅が略９３６ｍｍとされている。
なお、１頁分の寸法は幅１１７ｍｍ、長さ１８７ｍｍである。
ウェブ１５には両面からそれぞれ９６頁分印刷されるので、表裏両面で１９２頁分の印刷が行われることになる。
版胴１９はこの刷版を取付けられる大きさとされている。
【００２６】
乾燥装置９は、印刷ユニット７によって両面に印刷されたウェブ１５を加熱し乾燥する機能を有している。
冷却装置１１には、複数の冷却ドラム２３が設けられており、乾燥装置９で加熱されたウェブ１５が各冷却ドラム２３の周面に接するように通過させられることによってウェブ１５を冷却している。
【００２７】
図２は、折部１３の概略構成を示す側面図である。
折部１３には、搬送方向Ｈに沿って上流側から順に、中央スリッタ２５と、第一ドラグローラ２７と、中三角板２９と、第一リードインローラ３１と、第一ニッピングローラ３３と、縦ミシン刃３５と、第二ドラグローラ３７と、小三角板３９と、第二リードインローラ４１と、第二ニッピングローラ４３と、断裁装置４５と、搬送経路部４７と、振分装置４９と、下側羽根車（第一羽根車）５１と、上側羽根車（第二羽根車）５３と、折帳排出部５５と、が備えられている。
【００２８】
中央スリッタ２５は、ウェブ１５の幅方向略中央部に設置され、ウェブ１５を搬送方向Ｈに沿って縦断する機能を有している。
第一ドラグローラ２７は、図示しない駆動機構によって回転駆動されるように構成され、上流側のウェブ１５の速度よりも若干早い周速度で回転され、ウェブ１５に張力を付与して中三角板２９へ搬送するものである。
【００２９】
中三角板２９は、図２に示されるように左右に並列して２組設けられている。以下、左右の中三角板２９を区別する必要がある場合には、符号の後ろにサフィックス“ａ”，“ｂ”を付記する。
中三角板２９は、中央スリッタ２５で縦断された各ウェブ１５を縦折りし、ウェブ１５の面の進行方向を略９０度回転させるものである。
【００３０】
第一リードインローラ３１は、間隔を空けて配置された一対のローラで構成されており、中三角板２９からの縦折りされたウェブ１５を下方に案内するものである。
第一リードインローラ３１は、図２に示されるように左右に並列して２組設けられている。以下、左右の第一リードインローラ３１を区別する必要がある場合には、符号の後ろにサフィックス“ａ”，“ｂ”を付記する。
【００３１】
第一ニッピングローラ３３は、ウェブ１５を挟むように配置された一対のローラで構成されている。
これらのローラの周速度は搬送方向Ｈ上流側のウェブ１５の移動速度よりも若干早くされており、上流側のウェブ１５に張力を付与するとともにウェブ１５を下流側へ送り込む機能を有するものである。
第一ニッピングローラ３３は、図２に示されるように左右に並列して２組設けられている。以下、左右の第一ニッピングローラ３３を区別する必要がある場合には、符号の後ろにサフィックス“ａ”，“ｂ”を付記する。
【００３２】
縦ミシン刃３５は、通過するウェブ１５の幅方向略中央位置に設置されている。縦ミシン刃３５は、それに対向して設置された受けローラ５７との間を通過するウェブ１５に搬送方向Ｈに沿って折目となるミシン目を加工する機能を有している。
第二ドラグローラ３７は、図示しない駆動機構によって回転駆動されるように構成され、上流側のウェブ１５の速度よりも若干早い周速度で回転され、ウェブ１５に張力を付与して小三角板３９へ搬送するものである。
【００３３】
小三角板３９は、第二ドラグローラ３７から送られて来るウェブ１５を縦折りし、ウェブ１５の面の進行方向を略９０度回転させるものである。
第二リードインローラ４１は、間隔を空けて配置された一対のローラで構成されており、小三角板３９からの縦折りされたウェブ１５を下方に案内するものである。
【００３４】
第二ニッピングローラ４３は、ウェブ１５を挟むように配置された一対のローラで構成されている。
これらのローラの周速度は搬送方向Ｈ上流側のウェブ１５の移動速度よりも若干早くされており、上流側のウェブ１５に張力を付与するとともにウェブ１５を下流側へ送り込む機能を有するものである。
【００３５】
図３は、折部１３の下流側部分である断裁装置４５から折帳排出部５５までの概略構成を示す正面図である。
断裁装置４５には、断裁胴５９と、受胴６１とが備えられている。
断裁胴５９は、略円筒形状をしたローラである。断裁胴５９の周面には、軸線中心を挟んで略対向する位置にそれぞれ軸線方向に沿って略全幅に亘る断裁刃６３が備えられている。
受胴６１は、略円筒形状をしたローラである。受胴６１の周面には、軸線中心を挟んで略対向する位置にそれぞれ軸線方向に沿って略全幅に亘る断裁刃受部６５が備えられている。
【００３６】
断裁胴５９および受胴６１は、一方の軸端部で図示しない駆動手段によって相互に反対方向に回転駆動されている。
断裁胴５９および受胴６１は、断裁刃受部６３が断裁刃６３と係合するように同期して回転駆動されている。
断裁装置４５は、断裁胴５９および受胴６１間を通過するウェブ１５を所定の切断長（カットオフ）で横断し、折帳６７を形成するものである。カットオフとしては、たとえば、３７４ｍｍ（２頁長さ）あるいは１８７ｍｍ（１頁長さ）とされている。
【００３７】
下側羽根車５１および上側羽根車５３は、略円筒形状をし、断裁装置４５の下方位置にその軸線中心が断裁胴５９の軸線方向と略一致するように設置されている。
下側羽根車５１および上側羽根車５３の周面には、厚さ方向に折曲されている板材で形成された複数の羽根が略等間隔にくし状に取り付けられている。
上側羽根車５３は、断裁胴５９の略直下にあたる位置に配置されている。下側羽根車５１は、受胴６１側に上側羽根車５３から間隔を開け、それよりも下方位置に配置されている。
振分装置４９は、断裁装置４５と上側羽根車５３との中間位置よりも断裁装置４５に近い位置に設置されている。
【００３８】
搬送経路部４７には、折帳６７を下側羽根車５１へ搬送する下側搬送経路部（第一搬送経路部）６９と、上側羽根車５３へ搬送する上側搬送経路部（第二搬送経路部）７１とが備えられている。
下側搬送経路部６９には、対向して配置され、折帳６７を挟持して搬送する無端状の下外搬送ベルト（第一搬送ベルト）７３および下内搬送ベルト（第一搬送ベルト）７５が備えられている。
上側搬送経路部７１には、対向して配置され、折帳６７を挟持して搬送する無端状の上外搬送ベルト（第二搬送ベルト）７７および上内搬送ベルト（第二搬送ベルト）７９が備えられている。
【００３９】
下外搬送ベルト７３および下内搬送ベルト７５は、それぞれ幅方向に間隔を開けて略平行に複数、たとえば、２本設けられ、相互に対向して折帳６７を挟持するように設置されている。
下外搬送ベルト７３は、受胴６１の下流側に配置された上流端ガイドローラ８１と下側羽根車５１の上方に配置された下流端ガイドローラ８３との間で周回駆動されるように構成されている。
【００４０】
下外搬送ベルト７３における折帳６７を搬送する内側部分（ウェブ１５の経路、すなわち、折帳６７の搬送経路Ｋに面する部分）は、上流端ガイドローラ８１から略垂下し、振分装置４９の上部に位置するガイドローラ８５で外側（ウェブ１５の経路から水平方向に離れる方向を示す。）に向かうように折曲され、下流端ガイドローラ８３に至るように形成されている。
下外搬送ベルト７３は、下流端ガイドローラ８３から外側に向かい、下外搬送ベルト７３を周回駆動する駆動ローラ８７、下外搬送ベルト７３の張力を調整する張りローラ８９および複数のガイドローラ９１によって凹凸する経路を形成され、上流端ガイドローラ８１へ回帰している。
【００４１】
下内搬送ベルト７５は、振分装置４９の下流側に配置された上流端ガイドローラ９３と下側羽根車５１の上方に配置された下流端ガイドローラ９５との間で周回駆動されるように構成されている。
下内搬送ベルト７５は、上流端ガイドローラ９３から下流端ガイドローラ９５に向けて下外搬送ベルト７３に対向して同方向に移動し、下流端ガイドローラ９５から周回駆動する駆動ローラ９７、張力を調整する張りローラ９９および複数のガイドローラによって形成される経路を通って上流端ガイドローラ９３へ回帰している。
【００４２】
上外搬送ベルト７７は、幅方向に間隔を開けて略平行に複数、たとえば、２本、それぞれ下外搬送ベルト７３に対応する幅方向位置に設けられている。上内搬送ベルト７９は、上外搬送ベルト７７に対向するように設置されている。
上外搬送ベルト７７は、受胴６１の下流側に配置された上流端ガイドローラ１０１と上側羽根車５３の上方に配置された下流端ガイドローラ１０３との間で周回駆動されるように構成されている。
上流端ガイドローラ１０１は、下外搬送ベルト７３の上流端ガイドローラ８１と折帳６７の通路を挟む位置に配置されている。下流端ガイドローラ１０３は、上流端ガイドローラ１０１の略直下の位置に設置されている。
【００４３】
上外搬送ベルト７７は、上流端ガイドローラ１０１から略垂下し、下流端ガイドローラ１０３に至り、そこから外側に向かい、張力を調整する張りローラ１０５、周回駆動する駆動ローラ１０７およびガイドローラ１０９を通って凹凸する経路を形成され、上流端ガイドローラ１０１へ回帰する周回経路を形成している。
【００４４】
上内搬送ベルト７９、振分装置４９の下流側に配置された上流端ガイドローラ１１１と上側羽根車５３の上方に配置された下流端ガイドローラ１１３との間で周回駆動されるように構成されている。
上内搬送ベルト７９は、上流端ガイドローラ１１１から下流端ガイドローラ１１３に向けて上外搬送ベルト７７に対向して同方向に移動し、下流端ガイドローラ１１３から周回駆動する駆動ローラ１１５および張力を調整する張りローラ１１７によって形成される経路を通って上流端ガイドローラ１１１へ回帰する周回経路を形成している。
【００４５】
折帳排出部５５には、上側羽根車５３からの折帳６７を排出する上折帳排出部１１９と、下側羽根車５１からの折帳６７を排出する下折帳排出部１２１と、反転羽根車１２３とが備えられている。
上折帳排出部１１９には、折帳６７を支持し搬送経路を構成する上テーブル１２５と、上テーブル１２５上の折帳６７を排出方向ＨＨに搬送する上排出コンベヤ１２７と、が備えられている。
【００４６】
上排出コンベヤ１２７には、幅方向に間隔を空けて複数のプッシャ１２９が、周回方向に間隔を空けて複数ヶ所に設置されている。上テーブル１２５には、プッシャ１２７が通過するスリットが、排出方向ＨＨに沿って全長に亘って備えられている。
上テーブル１２５の上流側端部には、上側羽根車５３から供給される折帳６７の上流側（後）端部を案内するとともに姿勢を調整する案内部材１３１が備えられている。
上側羽根車５３から供給される折帳６７は、上テーブル１２５の上に複数、たとえば、６部積重ねられ、折帳束１３２とされ、プッシャ１２９によって下流側へ搬送される。
【００４７】
下折帳排出部１２１には、折帳６７を支持し搬送経路を構成する下テーブル１３３と、下テーブル１３３上の折帳６７を排出方向ＨＨに順次搬送する下第一排出コンベヤ１３５、下第二排出コンベヤ１３７および下第三排出コンベヤ１３９と、が備えられている。
下第一排出コンベヤ１３５および下第三排出コンベヤ１３９は、下テーブル１３３の下方に配置され、下第二排出コンベヤ１３７は下テーブル１３３の上方に配置されている。
下第一排出コンベヤ１３５、下第二排出コンベヤ１３７および下第三排出コンベヤ１３９には、それぞれ上排出コンベヤ１２７と同様にプッシャ１４１，１４３，１４５が備えられている。
【００４８】
下テーブル１３３には、プッシャ１４１，１４３，１４５が通過するスリットが、排出方向ＨＨに沿って全長に亘って備えられている。
下テーブル１３３の上流側端部には、下側羽根車５１から供給される折帳６７の上流側（後）端部を案内するとともに姿勢を調整する案内部材１４７が備えられている。
下側羽根車５１から供給される折帳６７は、下テーブル１３３の上に複数、たとえば、６部積重ねられ、折帳束１４９とされる。折帳束１４９は、プッシャ１４１，１４３，１４５に順次引き渡されることによって下流側へ搬送される。
【００４９】
反転羽根車１２３は上テーブル１２５の下流側で、下テーブル１３３の上方に配置されている。反転羽根車１２３は上テーブル１２５上を搬送されている折帳束１３２を受け取り、上下を反転させ下テーブル１３３上を搬送される折帳束１４９の上に載置する。
下第三排出コンベヤ１３９の下流側には、たとえば、丁合機、無線とじ機、スタッカ、三方断裁機、カバー掛機、パレタイザ等が接続されている。これにより、積重ねられて搬送される折帳束１３２，１４９は、これらの機器によって、丁合い、製本およびこん包までを一貫して処理される。なお、これらは、輪転印刷機１とは別に配置されてもよい。
【００５０】
下側搬送経路部６９の下流側端部に分岐部１５１が備えられている。分岐部１５１について図４および図５により説明する。
分岐部１５１には、揺動フレーム１５３と、移動フレーム１５５と、連結フレーム１５７と、エアシリンダ１５９とが備えられている。
揺動フレーム１５３は、下外搬送ベルト７３の内側経路を構成する下流端ガイドローラ８３と、ガイドローラ９０とを連結するように配置されている。
揺動フレーム１５３の一端部（上流側）は、ガイドローラ９０の軸部に回動可能に取付けられている。
【００５１】
揺動フレーム１５３の他端部（下流側）は、下流端ガイドローラ８３の軸部を回動可能に支持している。
すなわち、揺動フレーム１５３は、ガイドローラ９０を中心として折帳６７の搬送経路に対して交差する方向へ揺動可能に取り付けられている。
移動フレーム１５５は、下内搬送ベルト７５の搬送経路の下流端部分を構成する下流端ガイドローラ９５およびガイドローラ９６をそれぞれ回動可能に支持している。
【００５２】
連結フレーム１５７は、揺動フレーム１５３の下流端ガイドローラ９５側と移動フレーム１５５のガイドローラ９６側とを連結している。
エアシリンダ１５９のロッド先端は、連結フレーム１５７に取り付けられている。エアシリンダ１５９のロッドが伸縮することによって連結フレーム１５７が折帳６７の搬送経路に対して交差する方向へ移動する。連結フレーム１５７の移動により揺動フレーム１５３はガイドローラ９０を中心として揺動させるとともに移動フレーム１５５が移動させられる。
【００５３】
この各フレームの移動によって、下側搬送経路部６９は下流側端部の搬送経路がガイドローラ９０のところで曲折され、図４に示される下側羽根車５１に向く位置と、図５に示される経路外排出位置と、に選択的に位置させられる。
下側搬送経路部６９が図５に示される経路外排出位置に位置すると、その延長位置に排出案内板１６１の一端が位置する。
排出案内板１６１は、折帳６７を排出箱１６３の内部に案内する。
【００５４】
振分装置４９について図６から図８により説明する。振分装置４９は、図３に示されるように、下外搬送ベルト７３と上外搬送ベルト７７とが折帳６７を挟持搬送する部分の下側に設置されている。下外搬送ベルト７３の経路は、振分装置４９に入るところでそのまま下方に移動する上外搬送ベルト７７から徐々に離れるように形成されている。
振分装置４９には、振分ガイド（案内部材）１６５と、揺動軸１６７と、振分カムフォロア１６９と、振分カム（カム）１７１とが備えられている。
揺動軸１６７は、幅方向に延在するように配置され、その軸線回りに回転自在に取付けられている。
【００５５】
振分ガイド１６５は、断面形状が略三角形をした形状とされ、その一つの頂点が上流側に位置し、折帳６７の搬送方向に沿って下流側が拡幅されるように設置されている。振分ガイド１６５のこの拡幅する面は、下外搬送ベルト７３に面する下案内面（案内面）１７３と、上外搬送ベルト７７に面する上案内面（案内面）１７５とを形成している。
振分ガイド１６５は、揺動軸１６７に沿って間隔を空けて複数、たとえば、３個設置され、それぞれその下流側端部近傍が揺動軸１６７に固定して取り付けられている。
振分ガイド１６５は、揺動軸１６７が往復して回転することによって揺動し、下案内面１７３あるいは上案内面１７５を折帳６７の搬送経路Ｋに選択的に位置させる。
【００５６】
振分カムフォロア１６９は、揺動軸１６７の一端部に固定して取付けられている。振分カムフォロア１６９は常時振分カム１７１に向けて移動するように付勢されている。
振分カム１７１は、面部が搬送経路Ｋに略直交するように配置された板部材である。振分カム１７１は、図示しないフレームにその面内で回転可能に取付けられている。
振分カム１７１には、半径の大きな略半円形状をした大径部１７７と、半径の小さな略半円形状をした小径部１７９とが設けられている。
【００５７】
振分カムフォロア１６９は振分カム１７１に押し付けられているので、振分カム１６９は振分カム１７１の回転に伴い大径部１７７から小径部１７９へあるいは小径部１７９から大径部１７７へ移動する際、位置が変化させられる。振分カムフォロアの位置の変化によって揺動軸１６７が回転し、振分ガイド１６５を揺動させる。
振分カムフォロア１６９が小径部１７９に係合していると、上案内面１７５が搬送経路Ｋに位置し（図６参照）、大径部１７７に係合していると、下案内面１７３が搬送経路Ｋに位置する（図７参照）。
【００５８】
振分装置４９には、振分方向を固定する振分方向固定装置１８１が取り付けられている。振分方向固定装置１８１には、作動板１８３と、固定エアシリンダ１８５とが備えられている。
作動板１８３は、略矩形状をした板部材であり、その一端部が揺動軸１６７に固定するように取り付けられている。作動板１８３の他端部上部には、略半円形状の溝１８７が設けられている。
【００５９】
固定エアシリンダ１８５は図示しないフレームに固定して取り付けられている。固定エアシリンダ１８５のロッドの先端には一対のアタッチメント１８９が作動板１８３を挟むように取り付けられている。アタッチメント１８９には、ロッドの伸縮方向に延在する長穴１９１が設けられている。ピン１９３が両方のアタッチメント１８９の長穴１９１を貫通するように配置されている。ピン１９３は、それぞれのアタッチメント１８９の外側で移動可能に取り付けられ、長穴１９１に沿って移動自在とされている。
振分カムフォロア１６９の振分カム１７１による位置変化に伴い、作動板１８３は上下に揺動し、その溝１８７がピン１９３を移動させることになる。
【００６０】
長穴１９１の形状は、固定エアシリンダ１８５のロッドが伸長している時には、このピン１９３の移動を許容するように設定されている。
一方、固定エアシリンダ１８５のロッドが縮長されると、図８に示されるようにピン１９３の移動を制限するとともに作動板１８３を強制的に（図８で右回りに）揺動させる。この揺動によって揺動軸１６７が図８において右回りに回転し、振分カムフォロア１６９が振分カム１７１に係合しない位置に位置させられる。このとき、図８に示されるように下案内面１７３が搬送経路Ｋに位置し、折帳６７の搬送経路Ｋは下側搬送経路部６９側に固定されることになる。
【００６１】
振分カム１７１は、版胴１９の１回転で同じく１回転するように版胴１９と同期して回転するように構成されている。振分カムフォロア１６９が振分カム１７１の大径部１７７から小径部１７９へあるいは小径部１７９から大径部１７７へ移行するタイミングは印刷された絵柄の先頭位置あるいは中間位置に一致するようにされている。
たとえば、折帳６７は、カットオフが１８７ｍｍであれば、６部毎に、３７４ｍｍであれば、３部毎に搬送経路Ｋが切り換えられる。
【００６２】
振分カム１７１には、このタイミングを検出するタイミング検出装置１９５が備えられている。
タイミング検出装置１９５は、振分カム１７１の回転軸に取り付けられた一対の検出片１９７と、検出片１９７の通過を検出する近接スイッチ１９９とで構成されている。
振分方向固定装置１８１には、固定エアシリンダ１８５を伸縮させる作動部２０１と、作動部２０１の作動を制御する固定制御部２０３とが備えられている（図８参照）。
固定制御部２０３は、輪転印刷機１の運転速度を図示しない主制御部から受け取るように構成され、運転速度が所定速度、たとえば、１５ｒｐｍに達するまでは作動部２０１を作動して固定エアシリンダ１８５のロッドを縮長し、折帳６７の搬送経路Ｋを下側搬送経路部６９側に固定するように設定されている。
【００６３】
以上、説明した本実施形態にかかる輪転印刷機１の動作について説明する。
印刷運転に入ると、給紙装置３からウェブ１５が繰り出される。ウェブ１５はインフィード装置５によって張力が調整され印刷ユニット７へ供給される。
印刷ユニット７において、湿し水とインキとが供給されることによって版胴１９の周面に取り付けられた刷版に形成された画像が、ブランケット胴２１に転写される。これがブランケット胴２１，２１の間を通過するウェブ１５の両面に転写され、印刷される。
版胴１９およびブランケット胴２１の一回転で、ウェブ１５には搬送方向Ｈに１２頁、幅方向に８頁の印刷が行われるので、表裏両面で１９２頁分の印刷が行われる。このとき、ウェブ１５には、前半に１頁から９６頁までがその順に印刷され、後半には、１９２頁から９７頁の順に天地を逆にして印刷されている。
【００６４】
印刷ユニット７で印刷されたウェブ１５は乾燥装置９で加熱されインキが乾燥される。
次いで、ウェブ１５は、冷却装置１１の各冷却ドラム２３の周面に接するように通過し、各冷却ドラム２３によって冷却され折部１３に供給される。
折部１３に導かれたウェブ１５は、スリッタ２５によって幅方向略中央部が縦断され、２つに分けられる。２つに分断されたウェブ１５は、第一ドラグローラ２７で張力を付与され、中三角板２９ａ，２９ｂに導入される。
【００６５】
中三角板２９ａ，２９ｂに導入されたウェブ１５はそれぞれ縦に２つ折りされ、第一リードインローラ３１ａ，３１ｂによって案内される。このウェブ１５は、第一ニッピングローラ３３ａ，３３ｂによって折目を加圧されるとともに張力を付与され下流側に送り出される。
第一ニッピングローラ３３ａ，３３ｂから送られる２つ折りされたウェブ１５は合流し、重ねられる。重ねられたウェブ１５は、縦ミシン刃３５によって、幅方向略中央部に折目となるミシン目が加工される。
【００６６】
重ねられたウェブ１５は、第二ドラグローラ３７で張力を付与され、小三角板３９に導入され、ミシン目を加工された略中央部を折られ、縦に２つ折りされる。これにより、ウェブ１５は当初の幅の八分の一、すなわち、１頁幅に折り畳まれている。
このウェブ１５は第二リードインローラ４１によって案内され、第二ニッピングローラ４３によって折目を加圧されるとともに張力を付与され下流側に送り出される。
この幅方向に折り重ねられたウェブ１５は、断裁装置４５の断裁刃６３によって、たとえば、１８７ｍｍ単位で切断され、折帳６７が形成される。すなわち、１頁から１９２頁までが１２部の折帳６７に分割されることになる。
【００６７】
折帳６７は、下外搬送ベルト７３と上外搬送ベルト７７とで挟持搬送され、振り分け装置４９に到る。
固定制御部２０３は、当初の印刷速度が遅いところでは、作動部２０１によって固定エアシリンダ１８５のロッドを縮長させている。固定エアシリンダ１８５のロッドが縮長されると、ピン１９３の移動が制限され、さらにピン１９３は作動板１８３を図８で右回りに揺動させる。
作動板１８３の揺動によって揺動軸１６７が図８において右回りに回転するので、振分ガイド１６５が右方向に揺動し、下案内面１７３が搬送経路Ｋに位置する。
このとき、振分カムフォロア１６９が振分カム１７１に係合しない位置に位置させられるので、折帳６７の搬送経路Ｋは下側搬送経路部６９側に固定されることになる。
折帳６７の搬送経路Ｋは下側搬送経路部６９側に固定されることになる。
【００６８】
このとき、エアシリンダ１５９のロッドが縮長され、連結フレーム１５７を上方に移動させている。連結フレーム１５７の移動により揺動フレーム１５３はガイドローラ９０を中心として上方へ揺動するとともに移動フレーム１５５が上方へ移動する。
この各フレームの移動によって、下側搬送経路部６９は下流側端部の搬送経路がガイドローラ９０のところで曲折され、図５に示される経路外排出位置に位置させられる。
これにより、排出案内板１６１の一端が下側搬送経路部６９の延長位置に位置する。
【００６９】
したがって、折帳６７は振分ガイド１６５の下案内面１７３に案内され、下外搬送ベルト７３と下内搬送ベルト７５との間に導入される。下外搬送ベルト７３と下内搬送ベルト７５とによって挟持搬送される折帳６７は、その下流端から排出案内板１６１の上に排出され、それに案内され、排出箱１６３内に排出される。
印刷速度の低い時には、全ての折帳６７は下側搬送経路部６９に送られ、分岐部１５１を通って経路外である排出箱１６３に排出されるので、その中に含まれる詰まる恐れのある折帳６７は経路外へ排出されることになる。
このように、詰まる恐れのある折帳６７が経路外へ排出されるので、下側羽根車５１あるいは上側羽根車５３に折帳６７が詰まることを抑制することができる。
【００７０】
印刷速度が速くなると、ウェブのテンションが安定し、折不良の折帳６７が無くなる。
固定制御部２０３は、たとえば、印刷速度が１５ｒｐｍに達すると、タイミング検出装置１９５が、振分カムフォロア１６９が振分カム１７１の大径部１７７から小径部１７９へ移行するタイミングを検出した時、作動部２０１によって固定エアシリンダ１８５のロッドを伸長させる。固定エアシリンダ１８５のロッドが伸長されると、ピン１９３の移動が自由となる。振分カムフォロア１６９は常時振分カム１７１の方へ付勢されているので、振分カム１７１の小径部１７９に係合する。
【００７１】
振分カムフォロア１６９が小径部１７９に係合していると、図６に示されるように上案内面１７５が搬送経路Ｋに位置する。このため、折帳６７は振分ガイド１６５の上案内面１７５に案内され、上外搬送ベルト７７と上内搬送ベルト７９との間に導入される。
このとき、振分カム１７１は版胴と同期して回転しているので、振分カムフォロア１６９が振分カム１７１の大径部１７７から小径部１７９へ移行するタイミングで、たとえば、１頁が印刷された折帳６７が振分装置４９に到り、最初に振り分けられることになる。
こうして１頁から９６頁までの６部の折帳６７が上側搬送経路部７１で上側羽根車５３に順次搬送される。
【００７２】
このように、タイミング検出装置１９５が検出する所定部数、たとえば、６部の折帳６７の端部が振分ガイド１６５に至るタイミングで振分方向固定装置１８１による振分方向の固定を解除すると、所定部数の折帳６７の端部で振分装置の振分が復旧するので、折帳６７を６部毎に確実に振り分けることができる。
すなわち、版胴１９と同期して回転する振分カム１７１の大径部１７７と小径部１７９との切換え位置は、６部毎の折帳６７の境目となるので、タイミング検出装置１９５によってこの位置を検知すると、折帳６７の６部毎の境目を確実に検出できる。
【００７３】
６部の折帳５７が通過すると、振分カム１７１の回転によって、振分カムフォロア１６９が振分カム１７１の小径部１７９から大径部１７７へ移行するタイミングになる。このタイミングで、たとえば、１９２頁が印刷された折帳６７が振分装置４９に到る。
振分カムフォロア１６９が大径部１７７へ移行すると、揺動軸１６７が揺動し、振分ガイド１６５の下案内面７３が搬送経路Ｋに位置する。折帳６７は振分ガイド１６５の下案内面１７３に案内され、下外搬送ベルト７３と下内搬送ベルト７５との間に導入される。
こうして１９２頁から９７頁までの６部の折帳６７が下側搬送経路部６９で下側羽根車５１に順次搬送される。
【００７４】
この下側搬送経路６９で搬送される折帳６７の先端が、ガイドロール９０に到るまでの間に、エアシリンダ１５９のロッドを伸長し、連結フレーム１５７を下方に移動させる。連結フレーム１５７の移動により揺動フレーム１５３はガイドローラ９０を中心として下方へ揺動するとともに移動フレーム１５５が下方へ移動する。
この各フレームの移動によって、下側搬送経路部６９は下流側端部の搬送経路が図４に示される下側羽根車５１に排出できる位置に位置させられる。
【００７５】
このように、分岐部１５１は、下側搬送経路部６９の下流端部分に備えられているので、振分装置４９から分岐部１５１までの距離が長く確保できる。したがって、分岐部１５１を移動させる時間を稼ぐことができ、折帳６７の搬送速度の高速化に対応することができる。
【００７６】
以後は、版胴１９と同期して回転する振分カム１７１の回転によって振分装置４９の振分方向を上側搬送経路部７１と下側搬送経路部６９とに交互に振り分けることになる。
このように、振分装置４９は、印刷速度と同期して回転する振分カム１６５の動作によって折帳６７の振分を行なうので、印刷速度が遅くなると振分タイミングも遅くなるし、反対に印刷速度が速くなると振分タイミングも速くなる。したがって、印刷速度が変化しても自動的に振分タイミングが追従するので、調整しなくても折帳６７を所定部数毎に振り分けることができる。
【００７７】
下側搬送経路部６９で搬送される折帳６７は下側羽根車５１から順次排出され、下テーブル１３３の上に積重ねられ、折帳束１４９が形成される。この折帳束１４９は、たとえば、下から順に１９２頁から９７頁の順とされている。
この折帳束１４９は、下第一搬出コンベヤ１３５のプッシャ１４１、下第二搬出コンベヤ１３７のプッシャ１４３および下第三搬出コンベヤ１３９のプッシャ１４５によって排出方向ＨＨに排出される。
【００７８】
一方、上側搬送経路部７１で搬送される折帳６７は上側羽根車５３から順次排出され、上テーブル１２５の上に積重ねられ、折帳束１３２が形成される。この折帳束１３２は、たとえば、下から順に１頁から９６頁の順とされている。
この折帳束１３２は、上搬出コンベヤ１２７のプッシャ１２９によって搬送され、反転羽根車１２３によって反転され、下第三排出コンベヤ１３９のプッシャ１４５によって搬送される折帳束１４９の上へ積重ねられる。
積重ねられた折帳束１３２，１４９は、下から順に１９２頁から１頁の順序となっており、この状態で、次工程である丁合い等の工程に送られる。
【００７９】
なお、振分カム１７１による振分を開始した時点で断裁見当調整が完了していないと、切断位置が絵柄と一致しない（製品とならない）折帳６７が下側羽根車５１あるいは上側羽根車５３に送られることになるが、これらの折帳６７は下側羽根車５１あるいは上側羽根車５３に詰まる恐れはないので、下側羽根車５１あるいは上側羽根車５３の下流側で排出するようにすればよい。この場合、固定制御部２０３は、断裁見当調整が完了するまで振分方向固定装置１８１および分岐部１５１の復帰を止め、引き続き排出箱１６３に切断位置が絵柄と一致しない折帳６７を排出するようにしてもよい。
【００８０】
このように、固定制御部２０３が折精度の安定しない低速時の折帳６７を経路外に自動的に排出するので、下側羽根車５１あるいは上側羽根車５３に折帳６７が詰まるのを防止するために作業員を配置することが不要となり、その分運転コストが低減できる。
また、移動中の折帳６７を手で取り除くことがないので、作業員が怪我をする可能性を防止することができる。
【００８１】
また、固定制御部２０３は、所定のシーケンスによって作動するようにされているが、手動のシーケンスを追加し、折帳６７の状態を見ても振分方向固定装置１８１および分岐部１５１を作動させるようにしてもよい。
さらに、固定制御部２０３は、羽根車に詰まる恐れのある折帳を検出する、たとえば、折帳６７の幅方向端部が搬送経路外に位置しているのを検出する検出器を備え、その検出器の検出信号によって振分方向固定装置１８１および分岐部１５１を作動させるようにしてもよい。
【００８２】
なお、本発明はこの実施形態に限定されるものではなく、本発明の要旨を逸脱しない範囲内において適宜変更することができる。
たとえば、本実施形態では、本発明を複数の折帳６７を積重ねて排出する輪転印刷機１に適用しているが、これに限定されるものではなく、特開昭６３−２０８４６８号公報に示されるような折帳を一部毎振り分けて瓦状にして排出する輪転印刷機に適用してもよい。
また、タイミング検出装置１９５は、振分カム１７１の形状が変化する部分を検出するようにしているが、折帳６７の搬送位置を追跡するようなものとしてもよい。
【図面の簡単な説明】
【００８３】
【図１】本発明の一実施形態にかかる輪転印刷機の全体概略構成を示す正面図である。
【図２】本発明の一実施形態にかかる折部の概略構成を示す側面図である。
【図３】本発明の一実施形態にかかる折部の下流側部分の概略構成を示す正面図である。
【図４】本発明の一実施形態にかかる分岐部を示す部分正面図である。
【図５】本発明の一実施形態にかかる分岐部の別の状態を示す部分正面図である。
【図６】本発明の一実施形態にかかる振分装置の一つ振分状態を示す部分正面図である。
【図７】本発明の一実施形態にかかる振分装置の別の振分状態を示す部分正面図である。
【図８】本発明の一実施形態にかかる振分装置の振分固定状態を示す部分正面図である。
【符号の説明】
【００８４】
１  輪転印刷機
１３  折部
４９  振分装置
５１  下側羽根車
５３  上側羽根車
６７  折帳
６９  下側搬送経路部
７１  上側搬送経路部
７３  下外搬送ベルト
７５  下内搬送ベルト
７７  上外搬送ベルト
７９  上内搬送ベルト
１５１  分岐部
１６５  振分ガイド
１７１  振分カム
１７３  下案内面
１７５  上案内面
１８１  振分方向固定装置
１９５  タイミング検出装置
【図１】
2009126616.tif 000003
【図２】
2009126616.tif 000004
【図３】
2009126616.tif 000005
【図４】
2009126616.tif 000006
【図５】
2009126616.tif 000007
【図６】
2009126616.tif 000008
【図７】
2009126616.tif 000009
【図８】
2009126616.tif 000010